(57)【要約】【課題】家具等を痛めず且つ配置換え等を容易にすることを最も主要な特徴とする可能とする。【解決手段】一対の基材シート１９，２１に雌雄弾性係合部２３，２５が多数各別に設けられ雌雄弾性係合部２３，２５の弾性及び摩擦係合により動的荷重を緩衝可能な雌雄シート７，９からなり、雄シート９を壁面５に接着すると共に雌シート７を家具３に接着し、地震などにより動的荷重が入力されたときは、雌雄シート７，９の雌雄弾性係合部２３，２５の弾性及び摩擦係合により動的荷重を緩衝することができ、且つ、雌雄弾性係合部２３，２５の係合により家具３を壁面５に確実に支持することができ、家具３は、雌雄シート７，９を雌雄弾性係合部２３，２５で引き剥がすことで壁面５から容易に離脱させることができ、家具３の配置換え等も容易であるする。【選択図】  図１
2007135816.tif 000002
【特許請求の範囲】
【請求項１】
一対の基材シートに雌雄弾性係合部が多数各別に設けられ雌雄弾性係合部の弾性及び摩擦係合により動的荷重を緩衝可能な雌雄シートからなり、
前記雌雄シートの一方を固定面に接着又は粘着若しくは敷設すると共に同他方を被固定体に接着又は粘着する
ことを特徴とする耐震支持パネル。
【請求項２】
請求項１記載の耐震支持パネルであって、
前記雌雄シートの少なくとも一方に緩衝パネルを接着剤又は粘着剤により合わせ接合し、
前記雌雄シートの少なくとも一方を前記緩衝パネルを介して前記固定面又は被固定体に接着剤又は粘着剤により固定した
ことを特徴とする耐震支持パネル。
【請求項３】
請求項２記載の耐震支持パネルであって、
前記緩衝パネルは、弾性を有する海綿体である
ことを特徴とする耐震支持パネル。
【請求項４】
請求項１記載の耐震支持パネルであって、
前記雌雄シートの少なくとも一方にフィルムを接着剤又は粘着剤により合わせ接合し、該雌雄シートの少なくとも一方を前記フィルムを介して前記固定面又は被固定体に接着剤又は粘着剤により固定した
ことを特徴とする耐震支持パネル。
【請求項５】
請求項４記載の耐震支持パネルであって、
前記フィルムの固定面側に対する接着力又は粘着力を、このフイルムの前記雌雄シートの一方に対する接着力又は粘着力と比較して大きくした
ことを特徴とする耐震支持パネル。
【請求項６】
請求項４記載の耐震支持パネルであって、
前記固定面側に対する単位面積当たりの接着力又は粘着力は、前記雌雄シートの一方に対する単位面積当たりの接着力又は粘着力よりも小さく且つ固定面側に対する接着面積又は粘着面積を前記雌雄シートの一方に対する接着面積又は粘着面積よりも大きく設定した
ことを特徴とする耐震支持パネル。
【請求項７】
一対の基材シートに雌雄弾性係合部が多数各別に設けられた雌雄シートと、
前記雌雄シートの一方を固定面に同他方を被固定体に接着又は粘着するための接着層又は粘着性を有する粘弾性層をそれぞれ備えた
ことを特徴とする耐震支持パネル。
【請求項８】
請求項１記載の耐震支持パネルであって、
前記雌雄シートの一方を、床の敷物として構成し、同他方を、前記被固定体の底部に接着又は粘着した
ことを特徴とする耐震支持パネル。
【発明の詳細な説明】
【技術分野】
【０００１】
本発明は、家具などの耐震支持パネルに関する。
【背景技術】
【０００２】
従来、家具などの耐震支持装置として、例えば、コイルス・プリングを用いたものがある。この耐震支持装置は、固定片とＬ型の取付片と該固定片及び取付片間のコイル・スプリングからなり、固定片を壁に固定し、取付片を家具の天板に取付けたものである。
【０００３】
地震時に建物に入る水平加速度に基づいて家具に入力される加速度により取付片に動的荷重が働き、この動的荷重をコイル・スプリングが緩衝する。
【０００４】
従って、固定片が釘などにより壁に固定される場合、地震時の動的荷重が釘に直接入力されるのを規制し、釘の抜けを抑制し、家具の転倒を押さえることができる。
【０００５】
しかし、上記のような構造では、固定片及び取付片を壁及び家具に釘などを用いて取り付けるため、壁及び家具を痛めるという問題があった。
【０００６】
また、固定片及び取付片を壁及び家具に釘などを用いて取り付けるため、取付が煩雑であり、また掃除などの際に家具などの移動が困難になるという問題がある。
【０００７】
【特許文献１】特開平１１−７５９７５号公報
【発明の開示】
【発明が解決しようとする課題】
【０００８】
解決しようとする問題点は、釘などを用いて取り付けるため、家具などの固定作業等が煩雑であり、且つ壁及び家具を痛めるという点である。
【課題を解決するための手段】
【０００９】
本発明は、家具等を痛めず簡単に固定でき且つ配置換え等を容易にするため、一対の基材シートに雌雄弾性係合部が多数各別に設けられ雌雄弾性係合部の弾性及び摩擦係合により動的荷重を緩衝可能な雌雄シートからなり、前記雌雄シートの一方を固定面に接着又は粘着若しくは敷設すると共に同他方を被固定体に接着又は粘着することを最も主要な特徴とする。
【発明の効果】
【００１０】
本発明の耐震支持パネルは、一対の基材シートに雌雄弾性係合部が多数各別に設けられ雌雄弾性係合部の弾性及び摩擦係合により動的荷重を緩衝可能な雌雄シートからなり、前記雌雄シートの一方を固定面に接着又は粘着若しくは敷設すると共に同他方を被固定体に接着又は粘着するため、地震などにより動的荷重が入力されたときは、雌雄シートの雌雄弾性係合部の弾性及び摩擦係合により動的荷重を緩衝することができ、且つ、雌雄弾性係合部の係合により被固定体を固定面に簡単且つ確実に支持することができる。
【００１１】
被固定体は、雌雄シートを弾性係合部で引き剥がすことで固定面から容易に離脱させることができ、被固定体の移動等も容易である。
【発明を実施するための最良の形態】
【００１２】
家具等を痛めず簡単に固定でき且つ移動も容易にするという目的を、雌雄シートの弾性及び摩擦係合を用いたことにより実現した。
【実施例１】
【００１３】
［耐震支持パネルの構造］
図１は、本発明の実施例に係る耐震支持パネルを家具の支持に適用した断面図である。
【００１４】
図１のように、耐震支持パネル１は、被固定体である箪笥、ロッカーその他の家具３の上部背面両側２カ所等に取り付けられると共に、固定面である壁面５に取り付けられている。なお、耐震支持パネル１の取付位置は、本実施例において家具３の上部背面両側２カ所であるが、これに限定されず取付位置及び個数は任意である。
【００１５】
前記耐震支持パネル１は、正面方向（図１の右方向）から見て面形状が矩形状或いは正方形状に形成され、雌雄シート７，９及びフィルム１１を備えている。雄シート９及びフィルム１１との各一側面は、接着層１３により合わせ接合され、雌シート７及びフィルム１１の他側面に接着層１５，１７を備え、予めアッセンブリされている。使用前において接着層１５，１７の表面には、図示しないが、蝋紙が貼付され、この蝋紙を剥がして使用する。粘弾性層の場合は、フィルム等が貼付され、このフィルム等を剥がして使用する。
【００１６】
前記フィルム１１の壁面５側に対する接着力は、このフイルム１１の前記雄シート９に対する接着力と比較して大きくした。本実施例では、前記フィルム１１の壁面５側に対する単位面積当たりの接着力は、前記雄シート９に対する単位面積当たりの接着力よりも小さく且つフィルム１１を雄シート９よりも面積を大きく形成し、壁面５側に対する接着面積を雄シート９に対する接着面積よりも大きく設定した。
【００１７】
なお、フィルム１１を雄シート９と同一の大きさとし、フィルム１１の壁面５側に対する接着力を、このフイルム１１の前記雄シート９に対する接着力と比較して大きくすることもできる。また、フィルム１１及び接着層１７を省略した構造とし、接着層１３を直接壁面５に接着させる構成にすることもできる。
【００１８】
前記接着層１３，１５，１７は、アクリル系の粘着層又は粘着性を有する粘弾性層で構成することもできる。接着層１３は、そのままで接着層１５，１７の双方又は一方を粘着層又は粘弾性層で形成することもできる。この場合、粘弾性層の厚み調整により、粘弾性層層を減衰部として利用することができる。
【００１９】
前記雌雄シート７，９は、図２のようになっている。図２は、雌雄シートの拡大側面図である。
【００２０】
図２の雌雄シート７，９は、樹脂により形成され、一対の基材シート１９，２１に雌雄弾性係合部２３，２５が多数各別に設けられたものである。
【００２１】
前記雌雄シート７，９の結合時のばね定数は、このばね定数と家具３とで構成される振動系の固有振動数が地震時に家屋に入力される地震波振動周波数よりも高くなるように設定されている。従って、地震時に家具３が共振して大きく揺れることを防止することができる。
【００２２】
［耐震支持パネルの取付、取り外し］
前記耐震支持パネル１は、接着層１５，１７の表面の蝋紙等を剥がすことで取付可能となる。
【００２３】
前記蝋紙を剥がすことで露出した接着層１５，１７を図１，図２のように家具３及び壁面５に接着させる。このとき、耐震支持パネル１を雌雄シート７，９の部分で引き剥がしておき、家具３及び壁面５に雌雄シート７，９各側を各別に扱い、接着固定することができる。
【００２４】
耐震支持パネル１の取り外しは、接着層１５，１７を家具３、壁面５から剥がすことで行うことができる。この場合、接着層１５，１７は、剪断方向には接着強度が相対的に弱いから、家具３、壁面５に対し耐震支持パネル１を剥がすことで、接着層１５，１７に剪断力を与える。従って、耐震支持パネル１の交換などの際に、家具３、壁面５の傷みを抑制することができる。
【００２５】
家具３の固定は、雌シート７側を壁面５の雄シート９側に面合わせするように対向させ、そのまま家具３を平行移動して雌シート７を雄シート９に結合させることで行わせることができる。
【００２６】
また、フィルム１１の壁面５側に対する単位面積当たりの接着力は、前記雄シート９に対する単位面積当たりの接着力よりも小さいため、フィルム１１を壁面５から容易に引き剥がすことができ、雄シート９の位置の微調整を容易に行わせることができる。
【００２７】
家具３の配置換えなどに際しては、雌雄シート７，９を引き剥がして家具３を壁面５から離脱させ、雄シート９を接着層１７において引き剥がして移動先の壁面に再貼付するか、配置替え用のサブの雄シート９を移動先の壁面に貼付し、家具３の雌シート７を移動先の雄シート９に結合させ、配置換えを容易に行わせることができる。
【００２８】
前記接着層１５，１７の双方又は一方を粘着層又は粘弾性層としたときは、雌雄シート７，９の引き剥がしによる壁面５及び家具３の双方又は一方の傷みをより確実に抑制することができる。
【００２９】
［緩衝作用］
地震などの際に、建物に入る水平加速度を１Ｇと仮定し、家具３の質量が１５０ｋｇであると、家具３から接着層１５を介して耐震支持パネル１に１５０ｋｇｆの動的荷重が例えば面直交方向の引張り荷重として入力される。この入力は、雌雄シート７，９、接着層１３、フィルム１１、接着層１７を介して壁面５に伝達される。
【００３０】
このとき、最初の大きな荷重伝達時等に雌雄シート７，９が緩衝機能及び減衰機能を奏して伝達荷重を緩和し、耐震支持パネル１により家具３を壁面５に確実に支持することができる。特に、接着層１５，１３，１７の接着力及び雌雄シート７，９の結合力が面直方向に対して強く、家具３の確実な支持を可能とする。また、雌雄シート７，９の緩衝機能及び減衰機能は、主に雌雄弾性係合部２３，２５が撓み且つ摩擦係合することで行われる。
【００３１】
その後の振動時にも、耐震支持パネル１が緩衝機能及び減衰機能を奏することで、家具３の動きを早期に押さえることができる。
【００３２】
前記接着層１３，１５，１７を選択的に粘弾性層として粘弾性層による減衰機能を付加して制振機能をより高めることもできる。
前記雄シート９にフィルム１１を接着剤により合わせ接合し、該雄シート９を前記フィルム１１を介して前記壁面５又は家具３に接着剤により固定したため、地震時の衝撃入力が一定以上になると雄シート９とフィルム１１との間の接着層１３で離脱させることができ、壁面５を傷めるのを抑制することができる。
【００３３】
前記フィルム１１の壁面５側に対する接着力を、このフイルム１１の前記雄シート９に対する接着層１３の接着力と比較して大きくしたため、雄シート９とフィルム１１との間の接着層１３での離脱を確実に行わせることができ、壁面５等を傷めるのを抑制することができる。
【００３４】
前記フィルム１１の壁面５側に対する単位面積当たりの接着力は、前記同雄シート９に対する単位面積当たりの接着力よりも小さく且つ壁面５側に対する接着面積を前記雄シート９の一方に対する接着面積よりも大きく設定したため、雄シート９とフィルム１１との間の接着層１３での離脱を確実に行わせることができながら、フィルム１１と壁面５との間を手などで引き剥がすときは、容易に引き剥がしを行わせることができる。
【００３５】
なお、一定以上の衝撃入力に対し、雌雄シート７，９間で離脱させる構成にすることもできる。この場合、再度雌雄シート７，９を結合させることで、再固定を容易に行わせることができる。
【００３６】
［実施例１の効果］
本発明実施例の耐震支持パネル１は、一対の基材シート１９，２１に雌雄弾性係合部２３，２５が多数各別に設けられた雌雄シート７，９からなり、前記雌雄シート７，９の一方である雄シート９を固定面である壁面５に接着層１７の接着剤により固定すると共に同他方である雌シート７を被固定体である家具３に接着剤により固定するため、地震などにより動的荷重が入力されたときは、雌雄シート７，９の雌雄弾性係合部２３，２５により動的荷重を緩衝及び減衰することができ、且つ、雌雄弾性係合部２３，２５の係合により家具３を壁面５に簡単且つ確実に支持することができる。
【００３７】
家具３は、雌雄シート７，９を雌雄弾性係合部２３，２５で引き剥がすことで壁面５から容易に離脱させることができ、家具３の移動等も容易である。従って、家具３の背後の掃除や家具３の配置換えを極めて容易に行わせることができる。
【実施例２】
【００３８】
図３は、本発明の実施例２に係る耐震支持パネルを、家具の支持に適用した断面図である。なお、基本的な構成は実施例１と同様であり、同一又は対応する構成部分には、同符号又は同符号にＡを付して説明する。
【００３９】
本実施例の耐震支持パネル１Ａは、接着層１５と雌シート７との間に、緩衝パネル２７を介設したもので、緩衝パネル２７は、接着層２９により雌シート７に接着されている。従って、緩衝パネル２７は、雌シート７に緩衝パネル２７を接着剤により合わせ接合し、
雌シート２７を緩衝パネル２７を介して家具３に接着剤により固定した構成となっている。緩衝パネル２７は、弾性を有する海綿体で形成されている。従って、耐震支持パネル１は、全体として弾性と可撓性とを備えている。
【００４０】
なお、緩衝パネル２７を雄シート９と接着層１３との間、接着層１３とフィルム１１との間の何れか、或いは前記接着層１５と雌シート７との間を含め、これら全ての間に設けることもできる。接着層１３，１５，１７，２９は、選択的に粘着層にすることもできる。
【００４１】
地震などにより動的荷重が入力されたときは、実施例１の作用に加え、さらに緩衝パネル２７により動的荷重を緩衝することができ、雌雄係合部２３，２５へ入力される動的荷重、或いはフィルム１１と壁面５との間の接着層１７に入力される動的荷重を軽減し、家具３を確実に支持することができる。
【００４２】
特に、雌雄係合部２３，２５へ入力される動的荷重が緩和されることで、雌雄係合部２３，２５による係合を確実に維持させることができる。  
【実施例３】
【００４３】
図４は、本発明の実施例３に係る耐震支持パネルを、家具の支持に適用した概略断面図である。なお、基本的な構成は実施例１と同様であり、同一又は対応する構成部分には、同符号又は同符号にＢを付して説明する。
【００４４】
本実施例３の耐震支持パネル１Ｂは、緩衝パネル２７Ｂａ，２７Ｂｂを雌雄シート７Ｂ，９Ｂの双方に備え、雌雄シート７Ｂ，９Ｂの合わせ面を傾斜設定したものである。傾斜方向の設定は自由である。接着（粘着）構造等は、実施例１と同様である。
【００４５】
前記雌雄シート７Ｂ，９Ｂの合わせ面の傾斜設定により動的な衝撃吸収特性と静的な引き剥がし力との調整を行うことができる。
【実施例４】
【００４６】
図５は、本発明の実施例４に係る耐震支持パネルの面形状及び取り付けを示す概略正面図である。なお、基本的な構成は実施例１と同様であり、同一又は対応する構成部分には、同符号又は同符号にＣを付して説明する。
【００４７】
本実施例の耐震支持パネル１Ｃは、平面形状が菱形に形成され、家具３の背面及び壁面５間に上下に向けて取り付けている。
【００４８】
従って、静的な引き剥がしに際し、雌雄シート７，９間、接着層１３，１５，１７等（粘着層）間の引き剥がしを容易に行わせることができる。
【実施例５】
【００４９】
図６は、本発明の実施例５に係る耐震支持パネルの要部拡大断面図である。なお、基本的な構成は実施例３と同様であり、同一又は対応する構成部分には、同符号又は同符号のＢをＤに代えて説明する。
【００５０】
本実施例の耐震支持パネル１Ｄは、緩衝パネル２７Ｄａ，２７Ｄｂに凹部３１，突部３３を設け、雌雄シート７Ｄ，９Ｄを緩衝パネル２７Ｄａ，２７Ｄｂの凹部３１，突部３３の形状に沿って形成したものである。
【００５１】
従って、本実施例では、壁面５に沿った方向の振動に対し、凹凸部３１，３３が雌雄シート７Ｄ，９Ｄを介して係合し、より確実な支持を行わせることができる。
【実施例６】
【００５２】
図７は、本発明の実施例６に係る耐震支持パネルの形状及び取り付けを示す概略図である。なお、基本的な構成は実施例１と同様であり、同一又は対応する構成部分には、同符号又は同符号にＥを付して説明する。
【００５３】
本実施例の耐震支持パネル１Ｅは、雌雄シートの一方である雌シート７Ｅを、固定面である床面３５の敷物として構成し、同他方である雄シート９Ｅを、家具３の底部の、例えば４角に粘弾性層３７により固定したものである。粘弾性層は、接着層又は粘着層に代えることもできる。雄シート９Ｅを敷物とし、雌シート７Ｅを粘弾性層３７を介して家具３に固定することもできる。
【００５４】
従って、本実施例では、雌シート７Ｅの広い範囲で家具３を移動させ且つ雌雄シート７Ｅ，９Ｅの係合により家具３を配置固定することができる。また、雌雄シート７Ｅ，９Ｅによる緩衝及び減衰、粘弾性層３７による減衰を確実に行わせることができる。
【００５５】
なお、床３５に敷設する雌雄シート７Ｅ，９Ｅの一方は、一般の絨毯等で構成することもでき、この場合は、雌雄シート７Ｅ，９Ｅの一方を省略することができる。
［その他］
耐震支持パネル１，１Ａ，１Ｂ，１Ｃ，１Ｄ，１Ｅは、家具以外の被固定体の支持にも適用することができる。
【００５６】
耐震支持パネル１，１Ａ，１Ｂ，１Ｃ，１Ｄ，１Ｅの面形状は、正方形形状、菱形形状に限らず、長方形、楕円形、円形など、種々採用することができる。
緩衝パネル２７，２７Ｂａ，２７Ｂｂ，２７Ｄａ，２７Ｄｂは、ゴムなどで構成することも可能である。
【００５７】
雌雄シート７，７Ｂ，７Ｄ，９，９Ｂ，９Ｄは、接着層１３，１５，１７等を備えてサブアッセンブリし、或いは家具３等を固定するときに接着剤を塗布して接着層を形成してもよい。
【００５８】
前記接着層（又は粘着層）１５，１７は、両面テープ形式にすることもできる。この場合、家具３を固定するときに両面テープ両側の剥離紙を剥がして固定作業を行うか、両面テープの一側面の剥離紙を剥がして耐震支持パネルに予め貼付してアッセンブリし、家具３の固定時に両面テープの他の剥離紙を剥がして固定作業を行うかを選択することができる。
【００５９】
両面テープは、一方を接着層、他方を粘着層とすることができる。この場合、接着層は耐震支持パネル側に貼付することになる。
【図面の簡単な説明】
【００６０】
【図１】耐震支持パネルを家具の支持に適用した断面図である（実施例１）。
【図２】雌雄シート拡大断面図である（実施例１）。
【図３】耐震支持パネルを家具の支持に適用した断面図である（実施例２）。
【図４】耐震支持パネルを家具の支持に適用した断面図である（実施例３）。
【図５】耐震支持パネルの面形状及び取り付けを示す概略正面図である（実施例４）。
【図６】耐震支持パネルの要部拡大断面図である（実施例５）。
【図７】耐震支持パネルを家具の支持に適用した概略断面図である（実施例６）。
【符号の説明】
【００６１】
１，１Ａ，１Ｂ，１Ｃ，１Ｄ，１Ｅ  耐震支持パネル
３  家具（被固定体）
５  壁面（固定面）
７，７Ｂ，７Ｄ，７Ｅ  雌シート
９，９Ｂ，９Ｄ，９Ｅ  雄シート
１１  フィルム
１３，１５，１７，２９  接着層
１９，２１  基材シート
２３  雌弾性係合部
２５  雄弾性係合部
２７，２７Ｂａ，２７Ｂｂ，２７Ｄａ，２７Ｄａ，２７Ｄｂ  緩衝パネル
３５  床面（固定面）
３７  粘着層
【図１】
2007135816.tif 000003
【図２】
2007135816.tif 000004
【図３】
2007135816.tif 000005
【図４】
2007135816.tif 000006
【図５】
2007135816.tif 000007
【図６】
2007135816.tif 000008
【図７】
2007135816.tif 000009
【手続補正書】
【提出日】平成17年11月25日(2005.11.25)
【手続補正１】
【補正対象書類名】図面
【補正対象項目名】図１
【補正方法】変更
【補正の内容】
【図１】
2007135816.tif 000010
【手続補正２】
【補正対象書類名】図面
【補正対象項目名】図２
【補正方法】変更
【補正の内容】
【図２】
2007135816.tif 000011
【手続補正３】
【補正対象書類名】図面
【補正対象項目名】図３
【補正方法】変更
【補正の内容】
【図３】
2007135816.tif 000012
【手続補正４】
【補正対象書類名】図面
【補正対象項目名】図４
【補正方法】変更
【補正の内容】
【図４】
2007135816.tif 000013
【手続補正５】
【補正対象書類名】図面
【補正対象項目名】図５
【補正方法】変更
【補正の内容】
【図５】
2007135816.tif 000014
【手続補正６】
【補正対象書類名】図面
【補正対象項目名】図６
【補正方法】変更
【補正の内容】
【図６】
2007135816.tif 000015
【手続補正７】
【補正対象書類名】図面
【補正対象項目名】図７
【補正方法】変更
【補正の内容】
【図７】
2007135816.tif 000016